(57)【特許請求の範囲】
【請求項１】
基材シートの表面に表示部を有し、裏面の一端部に、物品に再剥離可能に貼着する粘着剤層を有するアイキャッチラベルであって、粘着剤層が、該アイキャッチラベルの中央部に向かって先細に入り込むＶ字状領域を有し、該Ｖ字状領域を形成する一対の縁辺同士が重なり合うように粘着剤層を２つ折りにして貼り合わせたときに、Ｖ字状領域の先端点を頂点として形成される逆錐体形状の該頂点から所定の深さまでの容積を示す目盛が、基材シートの表面又は裏面に設けられている計量機能付きアイキャッチラベル。
【請求項２】
目盛が、前記Ｖ字状領域の先端点を中心とする円弧をなしている請求項１記載のアイキャッチラベル。
【請求項３】
表示部の外形が部分円形状を有する請求項１又は２記載のアイキャッチラベル。
【請求項４】
基材シートの外形が、矩形領域の一縁辺から部分円を突出させたキノコ形状を有し、矩形領域の裏面に粘着剤層が形成されている請求項１〜３のいずれかに記載のアイキャッチラベル。
【請求項５】
請求項１〜４のいずれかに記載のアイキャッチラベルが貼着された定量吐出容器。
【請求項６】
スクイズにより内容液を定量吐出する請求項５記載の定量吐出容器。
【発明の詳細な説明】
【技術分野】
【０００１】
本発明は、容器の外表面に情報表示のために貼付されるアイキャッチラベルに関する。
【背景技術】
【０００２】
アイキャッチラベルはタックラベルとも称され、内容物説明、宣伝広告、キャンペーン情報、取扱上の注意事項等の商品関連情報を表示するために、種々の物品の外表面に貼付されるものであり、一般に、基材シートの表面に商品関連情報が印刷された表示部を有し、裏面の一端部側のみに物品に再剥離可能に貼着する粘着剤層が形成され、裏面の他端部側は、アイキャッチラベルが物品の外表面に貼付されたときに、その物品の外表面から浮き上がる自由端となっている（特許文献１）。
【０００３】
一方、アイキャッチラベルの貼付対象となりうる物品の一つに、スクイズにより内容液を定量吐出させるスクイズ容器がある（特許文献２）。このようなスクイズによる定量吐出容器は、未だ一般消費者に広く普及しているとはいえないため、一般消費者が定量吐出性を簡便に確認できるようにすることが望ましい。
【先行技術文献】
【特許文献】
【０００４】
【特許文献１】特開２０００−４７７７０号公報
【特許文献２】特開２００９−２９８４２６号公報
【発明の概要】
【発明が解決しようとする課題】
【０００５】
スクイズにより内容液を定量吐出させるスクイズ容器の定量吐出性を、一般消費者が簡便に確認できるようにする方法としては、そのようなスクイズ容器に計量容器、計量スプーン等の計量具を添付しておくことが考えられる。しかしながら、計量具を添付することで、製品が消費する樹脂量として計量具分が増えるために、製品コストの上昇だけでなく、近年話題となっている環境負荷の増大も招いてしまう。これに対し、本発明は、アイキャッチラベルに計量スプーンの機能を付加し、アイキャッチラベルが貼付される物品の定量吐出機能を簡便に確認できるようにすることを目的とする。
【課題を解決するための手段】
【０００６】
本発明者は、アイキャッチラベルの粘着剤層を二つ折りにして重ね合わせ、残りの部分で逆錐体形状を形成し、その逆錐体形状の内表面となる部分に目盛を付しておくと、逆錐体形状を計量器として使用できることを見出した。
【０００７】
即ち、本発明は、基材シートの表面に表示部を有し、裏面の一端部に、物品に再剥離可能に貼着する粘着剤層を有するアイキャッチラベルであって、粘着剤層が、該アイキャッチラベルの中央部に向かって先細に入り込むＶ字状領域を有し、該Ｖ字状領域を形成する一対の縁辺同士が重なり合うように粘着剤層を２つ折りにして貼り合わせたときに、Ｖ字状領域の先端点を頂点として形成される逆錐体形状の該頂点から所定の深さまでの容積を示す目盛が、基材シートの表面又は裏面に設けられている計量機能付きアイキャッチラベルを提供する。
また、本発明は、このアイキャッチラベルが貼付された定量吐出容器を提供する。
【発明の効果】
【０００８】
本発明のアイキャッチラベルによれば、粘着剤層が形成されている基材シートの一端部側を二つ折りにして貼り合わせ、他端部側に逆錐体形状を形成すると、逆錐体形状の表面に、その頂点から所定の深さまでの容積を示す目盛が設けられているので、逆錐体形状を計量器とし、貼り合わせた部分を把持部とする計量スプーンとなる。
【０００９】
このため、本発明のアイキャッチラベルは、表示部で商品情報の表示ラベルとして使用できるのに加え、必要により計量スプーンとしても使用できるので、定量吐出容器に貼付すると、アイキャッチラベルの表示部により商品関連情報を示すことができる他、アイキャッチラベルを定量吐出容器から剥がして計量スプーンを形成することにより、定量吐出容器の定量吐出性を低コストに簡便に確認することが可能となる。
【図面の簡単な説明】
【００１０】
【図１Ａ】図１Ａは、実施例のアイキャッチラベル１Ａを貼付した定量吐出容器の斜視図である。
【図１Ｂ】図１Ｂは、定量吐出容器に貼付したアイキャッチラベル１Ａの使用方法の説明図である。
【図２Ａ】図２Ａは、アイキャッチラベル１Ａの（ａ）正面図及び（ｂ）裏面図である。
【図２Ｂ】図２Ｂは、アイキャッチラベル１Ａから計量スプーンを形成する方法の説明図である。
【図２Ｃ】図２Ｃは、アイキャッチラベル１Ａから形成した計量スプーン１Ａ’の斜視図である。
【図３Ａ】図３Ａは、異なる態様のアイキャッチラベル１Ｂの（ａ）正面図及び（ｂ）裏面図である。
【図３Ｂ】図３Ｂは、アイキャッチラベル１Ｂから計量スプーンを形成する方法の説明図である。
【図３Ｃ】図３Ｃは、アイキャッチラベル１Ｂから形成した計量スプーン１Ｂ’の斜視図である。
【図４】図４は、さらに異なる態様のアイキャッチラベル１Ｃの裏面図である。
【図５】図５は、さらに異なる態様のアイキャッチラベル１Ｄの裏面図である。
【図６】図６は、さらに異なる態様のアイキャッチラベル１Ｅの裏面図である。
【図７Ａ】図７Ａは、さらに異なる態様のアイキャッチラベル１Ｆの裏面図である。
【図７Ｂ】図７Ｂは、アイキャッチラベル１Ｆから形成した計量スプーン１Ｆ’の斜視図である。
【発明を実施するための形態】
【００１１】
以下、図面を参照しつつ本発明を具体的に説明する。なお、各図中、同一符号は、同一又は同等の構成要件を表している。
【００１２】
図１Ａは、本発明の一実施例のアイキャッチラベル１Ａを貼付した定量吐出容器１０の斜視図であり、図２Ａは、そのアイキャッチラベル１Ａの（ａ）正面図及び（ｂ）裏面図である。なお、図１Ａにおいて、符号１１はスクイズにより内容液を定量吐出する定量吐出容器１０の容器本体であり、符号１２は容器本体１１の口部に被さる蓋を示している。また、アイキャッチラベル１Ａ内のドットで塗り潰した領域は、粘着剤層４によってアイキャッチラベル１Ａが定量吐出容器１０に貼着している領域を示している。
【００１３】
図２Ａに示すように、このアイキャッチラベル１Ａは、外形が、矩形領域の一縁辺から部分円を突出させたキノコ形状の基材シート２の表面２ａに、商品関連情報が印刷されている表示部３を有し、基材シート２の裏面２ｂに粘着剤層４を有する。粘着剤層４は基材シート２の矩形領域に形成された矩形領域４ａと、矩形領域４ａからアイキャッチラベル１Ａの中央部に向かって先細に入り込むように延設されたＶ字状領域４ｂを有している。また、定量吐出容器１０に貼付する前のアイキャッチラベル１Ａには、粘着剤層４上に剥離層（図示せず）が積層されている。
【００１４】
図２Ｂに示すように、粘着剤層４のＶ字状領域４ｂの先端点４ｐから伸びたＶ字状領域４ｂの２等分線Ｌを山折れ線とし、Ｖ字状領域４ｂのＶ字形部分を形成する一対の縁辺４ｑ、４ｒを谷折線とし、図２Ｃに示すように、縁辺４ｑ、４ｒ同士が重なり合うように粘着剤層４を２つ折りにして貼り合わせると、Ｖ字状領域４ｂの先端点４ｐを頂点として逆錐体形状が形成される。本実施例においては、この逆錐体形状の頂点（Ｖ字状領域４ｂの先端点４ｐ）から逆錐体形状の所定の深さまでの容積を示す円弧状の目盛５が、逆錐体形状の内表面に位置するように、基材シート２の表面２ａの表示部３に印刷されている。この目盛５には、対応する円錐体形状の容積の数値（例えば、４ｍＬ）も付されている。そこで、このように粘着剤層４を２つ折りにして貼り合わせることにより、アイキャッチラベル１Ａは、逆錐体形状を計量器６とし、２つ折りにして貼り合わせた部分を把持部７とする計量スプーン１Ａ' となる。
【００１５】
したがって、本実施例のアイキャッチラベル１Ａによれば、図１Ａに示すように店頭などにおいて、アイキャッチラベル１Ａが定量吐出容器１０に貼付されているときは、表示部３により商品関連情報を示すラベルとして機能し、それを購入した一般消費者が、図１Ｂに示すように、定量吐出容器１０からアイキャッチラベル１Ａを剥がして計量スプーン１Ａ' を形成すると、計量スプーン１Ａ'は簡易計量器として使用できるものとなる。よって、一般消費者は、定量吐出容器１０の容器本体１１をスクイズして内容液Ａを計量スプーン１Ａ'に吐出することにより、内容液Ａの吐出量の定量性を確認することができ、以降、定量性を信頼して定量吐出容器１０を使用することが可能となる。
【００１６】
なお、本発明において、アイキャッチラベルの構成材料としては、例えば、基材シート２は、ポリオレフィン、ポリエステル、ポリアミド、ポリイミド等の種々のプラスチックフィルムやパルプ、紙等から形成することができる。紙類としては、撥水処理等の表面処理、又は樹脂コーティングを行ったものが好ましい。また、粘着剤層４は、再剥離性を有するアクリル系粘着剤、ゴム系粘着剤等から形成することができる。
【００１７】
本発明のアイキャッチラベルは、種々の態様をとることができる。例えば、図３Ａに示すアイキャッチラベル１Ｂのように、目盛５を、基材シート２の裏面２ｂに形成してもよい。この場合には、図３Ｂに示すように、粘着剤層４のＶ字状領域４ｂの先端点４ｐから伸びたＶ字状領域４ｂの２等分線Ｌを谷折れ線とし、Ｖ字状領域４ｂのＶ字形部分を形成する一対の縁辺４ｑ、４ｒを山折線とし、図３Ｃに示すように、縁辺４ｑ、４ｒ同士が重なり合うように粘着剤層４を２つ折りにして貼り合わせることにより、Ｖ字状領域４ｂの先端点４ｐを頂点とする逆錐体形状が形成される。そこで、この逆錐体形状を計量器６とし、２つ折りにして貼り合わせた部分を把持部７とする計量スプーン１Ｂ' を得ることができる。このように目盛５を基材シート２の裏面に設けると、表示部３のデザインの自由度が増し、ラベルとして使用する場合の商品関連の表示機能を向上させることができるので好ましい。
【００１８】
本発明のアイキャッチラベルから計量スプーンを形成する際に折線となるＶ字状領域４ｂの２等分線Ｌや、Ｖ字状領域４ｂのＶ字形部分を形成する縁辺４ｑ、４ｒには、予め、補助線、エンボス、ハーフカット等を形成しておき、折線を形成しやすくしてもよい。
【００１９】
目盛５の付し方について、図４に示すアイキャッチラベル１Ｃのように、複数の目盛で容量を計測できるようにしてもよい。また、目盛に付する数値は、逆錐体形状の容量（ｍＬ等）に限らず、それに対応する内容物の重量（ｇ等）としてもよい。
【００２０】
基材シート２の外形についても特に制限はなく、図５に示すアイキャッチラベル１Ｄのように、粘着剤層４の非形成領域の外形を楕円状としてもよく、図６に示すアイキャッチラベル１Ｅのように、粘着剤層４の非形成領域の外形を多角形状としてもよい。さらに、図７Ａ、図７Ｂに示すアイキャッチラベル１Ｆのように粘着剤層４の矩形領域４ａを省略し、計量スプーンに形成した場合の把持部７を小さくしてもよい。
【００２１】
上述した態様は種々組み合わせることができる。
さらに、本発明のアイキャッチラベルを貼着する物品は、液体の定量吐出容器１０に限らず、粉体の定量吐出容器であってもよい。
【符号の説明】
【００２２】
１Ａ、１Ｂ、１Ｃ、１Ｄ、１Ｅ、１Ｆ  アイキャッチラベル
１Ａ' 、１Ｂ' 、１Ｆ'   計量スプーン
２    基材シート
２ａ  基材シートの表面
２ｂ  基材シートの裏面
３    表示部
４    粘着剤層
４ａ  矩形領域
４ｂ  Ｖ字状領域
４ｐ  Ｖ字状領域の先端点
４ｑ、４ｒ  Ｖ字状領域の縁辺
５    目盛
６    計量器
７    把持部
１０    定量吐出容器
１１    容器本体
１２    蓋
【図１Ａ】
0005471845.tif 000002
【図１Ｂ】
0005471845.tif 000003
【図２Ａ】
0005471845.tif 000004
【図２Ｂ】
0005471845.tif 000005
【図２Ｃ】
0005471845.tif 000006
【図３Ａ】
0005471845.tif 000007
【図３Ｂ】
0005471845.tif 000008
【図３Ｃ】
0005471845.tif 000009
【図４】
0005471845.tif 000010
【図５】
0005471845.tif 000011
【図６】
0005471845.tif 000012
【図７Ａ】
0005471845.tif 000013
【図７Ｂ】
0005471845.tif 000014